(57)【要約】      （修正有）【課題】不溶性担体を備えることを特徴とする測定容器において、測定項目に関わりなく汎用的に、非特異反応及びＢ／Ｆ分離の洗浄液量の低減の抑制を解決すること。【解決手段】生体試料中の測定対象物質を検出する方法であって、（１）開口部を有し、（２）開口部に近接して位置する吸収要素と、（３）開口部と吸収要素の間に配置した、液体を透過することができる不溶性担体を備え、（４）該不溶性担体には、測定対象物質と複合体を形成する物質が固定化され、（５）測定容器を改変することなく、多項目の測定対象物質が測定可能であり、（６）該不溶性担体は、乾燥状態で提供され、（７）測定をする前に、該不溶性担体に一定量以上の水分を滴下する、測定容器を用いる方法において、測定容器がさらに以下の特徴を有する、測定方法。（８）該結合性の生理活性物質にモノクローナル抗体を使用し、動物性タンパク質を共存させる。【選択図】なし【特許請求の範囲】
【請求項１】
生体試料中の測定対象物質を検出する方法であって、
（１）開口部を有し、
（２）開口部に近接して位置する吸収要素と、
（３）開口部と吸収要素の間に配置した、液体を透過することができる構造である不溶性担体を備え、
（４）該不溶性担体には、測定対象物質を、直接あるいは結合対複合体を形成する物質を介して、捕捉することができる結合性の生理活性物質があらかじめ固定化され、
（５）測定容器を改変することなく、多項目の測定対象物質が測定可能であり、
（６）該不溶性担体は、乾燥された状態で提供され、
（７）測定をする前に、該不溶性担体に一定量以上の水分を滴下する、
測定容器を用いる方法において、測定容器がさらに以下の特徴を有する、測定方法。
（８）該結合性の生理活性物質にモノクローナル抗体を使用し、動物性タンパク質を共存させる。
【請求項２】
該吸収要素が、セルロースもしくはセルロース誘導体である請求項１記載の測定方法。
【請求項３】
該不溶性担体が繊維マトリックスである請求項１記載の測定方法。
【請求項４】
該繊維マトリックスがガラス繊維である請求項３記載の測定方法。
【請求項５】
該不溶性担体に固定化されている該モノクローナル抗体は１種類の抗体である請求項１記載の測定方法。
【請求項６】
該モノクローナル抗体はＩｇＧである請求項１記載の測定方法。
【請求項７】
該モノクローナル抗体は抗ビオチン抗体、抗ジニトロフェノール抗体、抗ジゴキシゲニン抗体のうち、１つから選ばれることを特徴とする請求項６記載の測定方法。
【請求項８】
該動物性タンパク質が、ただ１種類から成る請求項１記載の測定方法。
【請求項９】
該動物性タンパク質が、乳性タンパク質、アルブミン、グロブリンのうち、１つから選ばれることを特徴とする請求項８記載の測定方法。
【請求項１０】
生体試料中の測定対象物質を検出する方法に用いる測定容器において、
（１）開口部を有し、
（２）開口部に近接して位置する吸収要素と、
（３）開口部と吸収要素の間に配置した、液体を透過することができる構造である不溶性担体を備え、
（４）該不溶性担体には、測定対象物質を、直接あるいは結合対複合体を形成する物質を介して、捕捉することができる結合性の生理活性物質があらかじめ固定化されており、
（５）測定容器を改変することなく、多項目の測定対象物質が測定可能であり、
（６）該不溶性担体は、乾燥された状態で提供され、
（７）測定をする前に、該不溶性担体に一定量以上の水分を滴下する、
（８）該結合性の生理活性物質にモノクローナル抗体を使用し、動物性タンパク質を共存させる、ことを特徴とする測定容器。
【請求項１１】
請求項１０に記載の測定容器を用いて測定を実施する、生体試料中の測定対象物質を検出するための測定システム。
【請求項１２】
請求項１０に記載の測定容器を含む、生体試料中の測定対象物質を検出するための測定に用いるためのキット。
【発明の詳細な説明】
【技術分野】
【０００１】
本願発明は、生体試料中の核酸、抗原、抗体あるいはホルモン等の測定対象物質を不溶性担体上で検出する方法およびそれに用いる改良された測定容器に関するものである。
【０００２】
当技術分野では、免疫測定を実行する技法が一般的に知られている。たとえば、従来型の酵素免疫測定（ＥＩＡ）手順では、最初、生体試料中の測定対象物質を、対応する抗原試薬または抗体試薬と結合する、一連のステップが使用される。次いで、直接、あるいは、色原物質や蛍光源物質、化学発光を活性化するトリガー溶液など適当な試薬を添加した後に、検出することができる酵素またはその他の物質で標識された第２の抗原または抗体をサンプルに導入する。次いで、生成された信号を読み取り、生体試料中に抗原または抗体が存在するかどうかが示される。
【背景技術】
【０００３】
免疫測定において、近年、測定容器に収納された不溶性担体上で試料や試薬を順次滴下させて反応を行わせ、試料中の測定対象物質を検出する方法が用いられている。この方法の一つに、不溶性担体に近接して吸収要素を配置することで、不溶性担体上のＢ／Ｆ分離を行ない、かつ使用された試料や試薬廃液を封じ込めることが可能な測定容器がある。こういった測定容器を用いた方法での測定では、しばしば測定精度の低下が問題となる。
【特許文献１】特許第２８８０８０１号
【発明の開示】
【発明が解決しようとする課題】
【０００４】
現在、生体試料の分析における免疫測定の重要性は高まってきており、そのような状況下で、さらにレベルの高い測定精度を望む声は多い。本願発明は、生体試料中の測定対象物質を検出する方法において、測定項目に関わりなく汎用的に、測定精度を向上させる手段を提供するものである。
【課題を解決するための手段】
【０００５】
発明者は、生体試料中の測定対象物質を検出する方法において、測定精度を向上させる方法について鋭意検討した。
例えば特許文献１には繊維マトリックスを使用した発光免疫測定法において、不溶性担体上で起こる非特異反応、例えば発光のバックグラウンドを低減させるために「吸収パッドから発せられる化学発光を低減させるために吸収パッドに結合された要素」を用いることが開示されており、微粒子捕獲分離技法およびイオン捕獲分離技法を使用して反応生成物を繊維マトリックス上に捕捉することが記載されている。
しかし、この方法では「吸収パッドに結合させた要素」が繊維との結合が乖離し、毛細管現象で不溶性担体に浮き出てくることで逆に非特異反応が生じたり、繊維マトリックスを改変することになるため、不溶性担体を通過してきた水分を繊維マトリックスが保持しにくくなり、廃液が容器外に漏出する危険性があると考えられた。
また、担体として用いる繊維マトリックスには、目詰まりが起きることが少ないガラス繊維フィルターを用いることが多いが、ガラスが負の電荷を持っているため、試料中の物質がイオン結合により非特異的に結合しやすい問題がある。これを回避することを目的としてＢ／Ｆ分離の洗浄液量自体を増やすことが行なわれているが、測定のばらつきが大きくなったり、また滴下する液量が増えることで上述した廃液が容器外に漏出する危険性を更に高めかねないと考えられた。
以上のことから、生体試料中の測定対象物質を検出する方法において、測定項目に関わりなく汎用的に測定精度を向上させるためには、不溶性担体上で起こる非特異反応の抑制に加え、Ｂ／Ｆ分離の洗浄液量の低減という相反的な問題を共に解決しなければならないことがわかった。
発明者がさらに鋭意検討を行った結果、生体試料中の測定対象物質を検出する方法に用いる測定容器において、開口部を有し、開口部に近接して位置する吸収要素と、開口部と吸収要素の間に配置した、液体を透過することができる構造である不溶性担体を備え、該不溶性担体には、測定対象物質を、直接あるいは結合対複合体を形成する物質を介して、捕捉することができる結合性の生理活性物質があらかじめ固定化されており、該測定容器を改変することなく、多項目の測定対象物質が測定可能であり、該不溶性担体は、乾燥された状態で提供され、かつ乾燥された状態ならば長期的保存が可能であり、測定をする前に、該不溶性担体に一定量以上の水分を滴下することで直ちに測定可能な状態に復帰でき、該結合性の生理活性物質にモノクローナル抗体を使用し、動物性タンパク質を共存させると、測定項目に関わりなく汎用的に、一旦乾燥させた後に使用しても、非特異反応の抑制かつＢ／Ｆ分離の洗浄液量の低減できることを見い出し、本願発明を完成した。
【０００６】
すなわち本願発明の要旨は、以下の通りである。
［項１］生体試料中の測定対象物質を検出する方法であって、
（１）開口部を有し、
（２）開口部に近接して位置する吸収要素と、
（３）開口部と吸収要素の間に配置した、液体を透過することができる構造である不溶性担体を備え、
（４）該不溶性担体には、測定対象物質を、直接あるいは結合対複合体を形成する物質を介して、捕捉することができる結合性の生理活性物質があらかじめ固定化され、
（５）測定容器を改変することなく、多項目の測定対象物質が測定可能であり、
（６）該不溶性担体は、乾燥された状態で提供され、
（７）測定をする前に、該不溶性担体に一定量以上の水分を滴下する、
測定容器を用いる方法において、測定容器がさらに以下の特徴を有する、測定方法。
（８）該結合性の生理活性物質にモノクローナル抗体を使用し、動物性タンパク質を共存させる。
［項２］該吸収要素が、セルロースもしくはセルロース誘導体である項１記載の測定方法。
［項３］該不溶性担体が繊維マトリックスである項１記載の測定方法。
［項４］該繊維マトリックスがガラス繊維である項３記載の測定方法。
［項５］該不溶性担体に固定化されている該モノクローナル抗体は１種類の抗体である項１記載の測定方法。
［項６］該モノクローナル抗体はＩｇＧである項１記載の測定方法。
［項７］該モノクローナル抗体は抗ビオチン抗体、抗ジニトロフェノール抗体、抗ジゴキシゲニン抗体のうち、１つから選ばれることを特徴とする項６記載の測定方法。
［項８］該動物性タンパク質が、ただ１種類から成る項１記載の測定方法。
［項９］該動物性タンパク質が、乳性タンパク質、アルブミン、グロブリンのうち、１つから選ばれることを特徴とする項８記載の測定方法。
［項１０］生体試料中の測定対象物質を検出する方法に用いる測定容器において、
（１）開口部を有し、
（２）開口部に近接して位置する吸収要素と、
（３）開口部と吸収要素の間に配置した、液体を透過することができる構造である不溶性担体を備え、
（４）該不溶性担体には、測定対象物質を、直接あるいは結合対複合体を形成する物質を介して、捕捉することができる結合性の生理活性物質があらかじめ固定化されており、
（５）測定容器を改変することなく、多項目の測定対象物質が測定可能であり、
（６）該不溶性担体は、乾燥された状態で提供され、
（７）測定をする前に、該不溶性担体に一定量以上の水分を滴下する、
（８）該結合性の生理活性物質にモノクローナル抗体を使用し、動物性タンパク質を共存させる、ことを特徴とする測定容器。
［項１１］項１０に記載の測定容器を用いて測定を実施する、生体試料中の測定対象物質を検出するための測定システム。
［項１２］項１０に記載の測定容器を含む、生体試料中の測定対象物質を検出するための測定に用いるためのキット。
【発明の効果】
【０００７】
本願発明は、不溶性担体を備えることを特徴とする測定容器において、測定項目に関わりなく汎用的に、非特異反応の抑制かつＢ／Ｆ分離の洗浄液量の低減というこれまで相反的な問題として共に解決することが困難と考えられてきた問題を解決する。
【発明を実施するための最良の形態】
【０００８】
本願発明は、生体試料中の核酸、抗原、抗体あるいはホルモン等の測定対象物質を不溶性担体３上で検出する方法における非特異反応が抑制されるように改良された測定容器に関するものである。本願発明における測定対象物質とは例えば、ＤＮＡ、ＲＮＡ、プラスミド、アルブミン、アルカリフォスファターゼ、コリンエステラーゼ、γ−ＧＴＰ、ＬＤＨ、酸性フォスファターゼ、コレステロール、アミラーゼ、ＬＡＰ、ＣＰＫ、アルドラーゼ、ＨＤＬコレステロール、ＧＯＴ、ＧＰＴ、ＬＤＬコレステロール、ＲＬＰコレステロール、カイロミクロン、モノアミンオキシダーゼ、シアル酸、リパーゼ、フルクトサミン、Ｇ−６−Ｐａｓｅ、Ｇ−６−ＰＤＨ、アデノシンデアミナーゼ、リポタンパク、グアナーゼ、カタラーゼ、フェリチン、Ｈ−ＦＡＢＰ、ＡＣＥ、ヘモグロビンＡ１Ｃ、アンチトリプシン、Ｄ−Ｄダイマー、マクログロブリン、アンチプラスミン、フォン・ウィルブランド因子、ＰＩＶＫＡ−ＩＩ、血液凝固因子、ｔＰＡ、プロテインＣ、グリコアルブミン、１，５−ＡＧグリココール酸、セルロプラスミン、トロポニンＩ、トロポニンＴ、ミオグロビン、マイクログロブリン、Ｉ型コラーゲン架橋Ｎ−テロペプチド（ＮＴｘ）、Ｉ型コラーゲン架橋Ｃ−テロペプチド（ＣＴｘ）、オステオカルシン、デオキシピリジノリン、ＩＧＦＢＰ、シスタチンＣ、ビタミンＢ１２、トリプシン、ヒアルロン酸、ビタミンＢ２、レムナント様リポタンパクコレステロール、フィブロネクチン、ＨＧＦ、ビタミンＢ１、ビタミンＣ、１，２５−ジヒドロビタミンＤ３、ＨＣＧ、ＨＶＡ、ＶＭＡ、プロラクチン、Ｔ３、ＦＴ３、ＴＳＨ、Ｔ４、ＦＴ４、ガストリン、ＡＮＰ、ＢＮＰ、ＣＫ−ＭＢ、インスリン、ＧＨ、ＬＨ、ＦＳＨ、ＰＴＨ、ハイドロキシコルチコステロイド、エストロゲン、ＡＣＴＨ、セクレチン、抗ＧＡＤ抗体、コルチゾール、アルドステロン、テストステロン、サイログロブリン、ラクトーゲン、グルカゴン、カルシトニン、プロジェステロン、ｃ−ＡＭＰ、プレグナンジオール、エリスロポエチン、アルギニンバゾプレッシン、ソマトメジン、ＡＦＰ、ＣＥＡ、ＤＵＰＡＮ−２、ＮＣＣ−ＳＴ−４３９、ＣＡ１５−３、エラスターゼ１、ＰＳＡ、ＢＦＰ、ＣＡ１９−９、ＣＡ７２−４、ＣＡ−５０、ＳＰａｎ−１抗原、シアリルＴｎ抗原、エノラーゼ、シアリルＬｅｘ−ｉ抗原、シアリルＬｅｘ抗原、ＣＡ１２５、ＢＣＡ２２５、ＣＡ６０２、ＣＡ１３０、サイトケラチン、ＰｒｏＧＲＰ、ＣＡ５４／６１、ＧＡＴ、ＰＯＡ、γ−セミノプロテイン、ＨＥＲ、抗ストレプトリジンＯ、トキソプラズマ抗体、抗ストレプトキナーゼ、マイコプラズマ抗体、抗連鎖球菌多糖体抗体、梅毒抗体、ツツガムシ抗体、ハウスダストや花粉等の外因性アレルゲン、ヘリコバクター・ピロリ抗体、クラミジア抗体、百日咳菌抗体、ＨＴＬＶ−Ｉ抗体、抗抗酸菌抗体、赤痢アメーバ抗体、抗ＤＮａｓｅＢ、抗溶連菌エステラーゼ抗体、ＨＩＶ、大腸菌Ｏ１５７  ＬＰＳ抗原、ＲＳウイルス抗原、腸炎ビブリオ菌耐熱性溶血毒、インフルエンザ抗原、ノイラミニダーゼ、カンジダ抗原、クラミジア抗原、アスペルギルス抗原、レジオネラ抗原、大腸菌抗原、抗アニサキス抗体、クリプトコックス・ネオフォルマンス抗原、水痘ウイルス抗原、レプトスピラ抗体、グルカン、サイトメガロウイルス抗体、結核菌群抗原、抗アセチルコリンレセプター抗体、ＨＢｓ抗原、ＨＢｓ抗体、ＨＢｅ抗原、ＨＢｅ抗体、ＨＣＶ抗体、ＨＢｃ抗体、デルタ肝炎ウイルス抗体、リウマチ因子、抗ガラクトース欠損ＩｇＧ抗体、甲状腺自己抗体、抗ＤＮＡ抗体、抗核抗体、インスリン抗体、ＭＭＰ−３、抗ＳＳ−Ａ／Ｒｏ抗体、抗ＳＳ−Ｂ／Ｌａ抗体、抗Ｓｃｌ−７０抗体、抗Ｊｏ−１抗体、抗甲状腺ペルオキシダーゼ抗体、抗ＲＮＰ抗体、抗Ｓｍ抗体、抗セントロメア抗体、抗ミトコンドリア抗体、抗カルジオリピンβ２グリコプロテインＩ複合体抗体、抗ＬＫＭ−１抗体、抗カルジオリピン抗体、ＴＳＨレセプター抗体、抗デスモグレイン抗体、抗好中球細胞質抗体、抗好中球細胞質ミエロペルオキシダーゼ、抗糸球体基底膜抗体、ＴＳＨ刺激性レセプター抗体、ＣＲＰ、免疫グロブリン、血清アミロイドＡ、トランスフェリン、Ｃ３、Ｃ４、アポリポタンパク、総ＩｇＥ、特異的ＩｇＥ、プレアルブミン、レチノール結合タンパク、第ＶＩＩＩ因子様抗原、遊離ヒスタミン、等を挙げることができ、測定対象物質は何ら限定されうるものではない。
【０００９】
本願発明における生体試料とは、全血液、脊髄液、前立腺液、尿、腹水、関節液、涙液、唾液、血清、血漿など生体流体が含まれる。この改良された測定容器を使用して非生物学的性質の他の流体試料を分析することも可能である。
【００１０】
本願発明の測定容器の一実施態様を図１および図２に示す。なお、本明細書において例えば「開口部２」と表記される場合それは図面の番号と対応していることを示す。
【００１１】
本願発明は、生体試料中の測定対象物質を検出する方法に用いる、以下のような測定容器に対して好ましく適用される。
（１）開口部２を有し、（２）開口部２に近接して位置する吸収要素４と、（３）開口部２と吸収要素４の間に配置した、液体を透過することができる構造である不溶性担体３を備え、（４）該不溶性担体３には、測定対象物質を、直接あるいは結合対複合体を形成する物質を介して、捕捉することができる結合性の生理活性物質があらかじめ固定化され、（５）測定容器を改変することなく、多項目の測定対象物質が測定可能であり、
（６）該不溶性担体３は、乾燥された状態で提供され、
（７）測定をする前に、該不溶性担体に一定量以上の水分を滴下する測定容器。
【００１２】
本願発明の好ましい一実施態様は、上記測定容器において、（８）該結合性の生理活性物質にモノクローナル抗体を使用し、動物性タンパク質との組合せで固定化すると、非特異反応を抑制でき、かつＢ／Ｆ分離の洗浄液量を低減できることを特徴とする測定容器であり、また、それを用いる生体試料中の測定対象物質を検出する方法である。
【００１３】
外郭部１は、不溶性担体３および吸収要素４をその内部に挿入できるように、キャップ（ふた）７とカップ５（うつわ）との組み合わせ構造にすることが出来る。
【００１４】
本願発明の、測定容器、および、それを用いて生体試料中の測定対象物質を検出する方法は、化学発光、蛍光、発色、電気信号など様々な検出系の不溶性担体を用いた診断検定に使用でき、検出方法は限定されない。
【００１５】
本願発明の測定容器は、少なくとも一つの試料添加と測定対象物質の検出を行う開口部２を有し、この開口部２から必要に応じ逐次試薬を投入することで、測定対象物質を、直接あるいは結合対複合体を形成する物質を介して、捕捉することができる結合性の生理活性物質があらかじめ固定化されている不溶性担体３に到達させ、不溶性担体３に特定の結合対複合体を介して保持される。この保持・固定化されている特定の結合対複合体を検出することで測定を行う。
【００１６】
本願発明の好ましい一実施態様は、上記測定容器において、該結合性の生理活性物質にモノクローナル抗体を使用し、動物性タンパク質を共存させることである。モノクローナル抗体は、完全長、Ｆａｂ、Ｆａｂ’、Ｆ（ａｂ）’２、Ｆａｂ２のどの形態でもよい。好ましくは1種類で使用され、より好ましくは、モノクローナル抗体は抗ビオチン抗体、抗ジニトロフェノール抗体、抗ジゴキシゲニン抗体のうち、１つから選ばれ、より好ましくはＩｇＧクラスの抗体である。動物性タンパク質は、動物から抽出されるタンパク質のことであり、好ましくは1種類で使用され、より好ましくは、乳性タンパク質、アルブミン、グロブリンのうち、１つから選ばれる。乳性タンパク質とは、動物の乳汁中に存在するタンパク質のことであり、好ましくはカゼインやホエイタンパク質である。アルブミンとは、動物血清中に存在するタンパク質のことであり、好ましくは安価なウシ血清アルブミン（ＢＳＡ）である。グロブリンとは、動物血清中に存在するタンパク質のことであり、好ましくはγ−グロブリンや免疫グロブリンである。
【００１７】
結合性の生理活性物質をモノクローナル抗体にすることにより、非特異的な反応を引き起こす共雑タンパク質が混入する可能性が低くなり、不溶性担体上で共雑タンパク質が存在することで、モノクローナル抗体が固定化することを妨げたりすることなく、均一な抗体固定層の形成が可能となることで、結果として非特異反応が抑えられるものと考えられる。さらに、モノクローナル抗体の測定対象物質に対する反応性を妨害することがない動物性タンパク質を選択し、その動物性タンパク質を共存させることで、本願発明の反応容器の特徴の一つである不溶性担体を乾燥させる工程において、不溶性担体の水分が気化する際に生じる気化熱により固定化したモノクローナル抗体が変性しないように保護し、モノクローナル抗体の立体構造を保持するため、組合せにより相乗的な非特異反応抑制効果がもたらされる。また、過剰なタンパク質分子により不溶性担体が目詰まりすることが少なく液通りがよくなることが、洗浄液量を低減しても洗浄効果が保持される原因と考えられる。
【００１８】
本願発明においては、モノクローナル抗体と動物性タンパク質の組合せが重要であるが、さらに本願発明に好ましい条件を例示することができる。
【００１９】
例えば、不溶性担体３は、均一な厚さを持つシート状が好ましい。厚さは特に限定されないが、反応の結果生じる変化を上面から検出することから、担体としての強度を維持できる範囲でできるだけ薄いほうが好ましい。好ましくは０．３〜２．０ｍｍである。シートの面積は、吸収要素４の断面より小さくても大きくても良いが、開口部２の範囲を全てカバーする大きさおよび形状でなければならない。好ましくは開口部２の面積と比較して１００％〜４００％の大きさである。
【００２０】
吸収要素４は、生体試料および測定反応混合物の不溶性担体３中の通過を強化するために不溶性担体３の下方に流体除去手段として配置されている。その働きは、不溶性担体３を通過した液が毛管現象により多孔性の材料に吸収されることによる。そのため、不溶性担体３と接する面が平らになっていることが好ましく、反応液を吸収するのに十分な容量を持つ柱状が好ましい。柱の長さは通常、不溶性担体３の厚さより大きく、好ましくは柱の長さは不溶性担体３の厚さの５〜３０倍である。柱の断面はどのような形であっても良いが、好ましくは円柱である。また、不溶性担体３と接する面は円柱に対して直角が好ましい。円柱の反対面はどのようであっても良いが、外郭部１に接する圧力を均一に受け、それを不溶性担体３と接する面に均一に伝えられるよう、直角で平らな面が好ましい。また、吸収要素４は外郭部１の内壁の間にぴったり嵌まり込むように成形されていることが好ましいが、吸収要素４の外壁部分と外郭部１の内壁との距離は全ての部位で同じである必要はない。嵌り具合には多少の遊びがあっても良いがその動き幅は吸収要素４の最大径の１０％を超えないことが好ましい。円柱の場合、外径は外郭部１の内径の９０％以上が好ましい。
【００２１】
また、必要により、開口部２と不溶性担体３または不溶性担体３と吸収要素４の間に、本願発明の効果を妨げない範囲内で別の構造体を挿入しても良い。
【００２２】
外郭部１は、キャップ７上部に添加した反応液や試薬が漏れず、その内部が不溶性担体３と吸収要素４を適切に保持できるような構造になっていれば、その外側の形状については特に限定されない。上から見た形が円や正多角形あるいはそれらに近い形状であってもよいし、反応が行われる以外の部分に関係ないところに図２の６のようなつばが出ていてもよい。また、液相での反応を行うための容器や反応に必要な試薬を入れる容器などが一体となっていてもよい。その他、外郭部１には、流体の吸収速度を上げるために、測定前に測定容器内に含まれる空気が、添加された反応混合物および試薬によって置き換えられ排出されるように、通気孔が１つ以上あることがより好ましい。
【００２３】
キャップ７は、開口部２を有し、装着時、外郭部１にしっかり固定され、かつ不溶性担体３とキャップ７の一部と接触し、不溶性担体３を押さえつけ、移動しないようにできれば、その形状については特に限定されない。開口部２は、上から見た形が円や正多角形あるいはそれらに近い形状であっても良い。好ましくは、添加した反応液や試薬が開口部以外に漏出しないように開口部を中心軸にした漏斗状構造であることである。
【００２４】
本願発明においては、容器内に設置する前の不溶性担体３と吸収要素４の長さの総和と、測定容器の実質収納空間長との比が重要であり、その大きさ、形状、材質等については特に制限されるものではない。好ましくは、全ての試薬が、不溶性担体３の開口部２から見えている範囲に、必要かつ十分に吸収されうる程度であれば差し支えない。
【００２５】
具体的には、外郭部１については、生体試料、測定に必要な試薬を漏出することなく、吸収できうる大きさであれば、限定されないが、好ましくは自動分析装置での取扱に適当な大きさとして、１０〜２５ｍｍであることが望まれる。また、形状は円筒状であることが好ましく、内径が５．０〜２０ｍｍであることがより好ましい。材質は、ポリエチレン、ポリプロピレン、ポリスチレン、アクリロニトリル−ブタジエン−スチレン・ターポリマー（ＡＢＳ）、ポリカーボネート、ポリアクリレート、ＨＩＰＳ、または測定成分に不活性な他の何らかの成形可能な材料で成形されるならば、限定されない。
【００２６】
キャップ７は、開口部２を有していれば大きさは限定されないが、好ましくは、外郭部１をすべて覆うことが可能な１０〜２５ｍｍである。材質は、ポリエチレン、ポリプロピレン、ポリスチレン、アクリロニトリル−ブタジエン−スチレン・ターポリマー（ＡＢＳ）、ポリカーボネート、ポリアクリレート、ＨＩＰＳ、または測定成分に不活性な他の何らかの成形可能な材料で成形されるならば、限定されない。水を通さず、自然乾燥、風乾、真空乾燥、減圧乾燥、凍結真空乾燥、赤外線や遠赤外線による乾燥、またマイクロウェーブなどの高周波を利用した乾燥等に耐えるものが好ましい。
【００２７】
開口部２は、測定に必要なシグナルが検出できうる大きさの不溶性担体３が露出し、かつ添加した試薬や試料を１０秒以内に吸収させることが可能な大きさなら限定されないが、好ましくは２．０〜１０ｍｍの円形であり、より好ましくは２．０〜６．０ｍｍである。
【００２８】
不溶性担体３については、流体を透過することができる構造であれば特に限定されない。様々な多孔性構造の材料から選択することができるが、好ましくは、紙、ガラス、セルロース、ナイロン、その他の天然繊維材料または合成繊維材料等でできたフィルターなどの繊維マトリックスかつ、バインダレス繊維である。より好ましくは安価であり、タンパク質の非特異的な吸着が少ないことで知られているガラス繊維のバインダレス繊維フィルターである。また、重量が比較的大きくかつ比較的厚い、具体的には重量が１平方メートル当たり８０〜２２０ｇかつ厚さが０．３〜２．０ｍｍの直径４〜１０ｍｍの円状に切り抜いたガラス繊維フィルターを用いることがより好ましい。これらは市販品などを用いることができる。
【００２９】
吸収要素４については、流体を一定量保持できるものであれば、特に限定されない。好ましくは、紙、ガラス、セルロース、セルロース誘導体、ナイロン、その他の天然繊維材料または合成繊維材料などであり、より好ましくは流体の液性による化学変化の起こりにくい酢酸セルロース誘導体である。また、吸収要素４の構造は、流体を保持しうる繊維の表面積を多くするため、多孔性構造であることが好ましい。これは、市販のタバコフィルターを用いることもできる。また、大きさは、外郭部１の内径が５．０〜２０ｍｍ、高さ１０〜２５ｍｍならば、吸収要素４も内径が５．０〜２０ｍｍ、高さ１０〜２５ｍｍで隙間の空かない形状であることがより好ましい。
【００３０】
本願発明の、生体試料中の測定対象物質を検出するための測定システムは、例えば、本願発明の測定容器を用いた反応により生じた種々の物理化学的変化を、検出系に応じて従来公知の検出方法（測定機器）を用いることにより実施することができる。
【００３１】
また、本願発明の、生体試料中の測定対象物質を検出するための測定に用いるためのキットは、例えば、本願発明の反応容器（全体）および必要に応じ、測定対象物質と結合対複合体を形成する物質を含む試薬、検出可能なシグナルを生じさせる基質を含む試薬、ブロック液、洗浄液などを含む。
【００３２】
本願発明の測定容器においては、測定対象物質を「直接」あるいは「結合対複合体を形成する物質を介して」捕捉することができる、不溶性担体３に結合性の生理活性物質が、あらかじめ固定化された状態で提供される。より好ましくは、「測定対象物質に非依存的な汎用性の高い測定容器にすることができる結合対複合体」を形成する物質を介して捕捉することができる結合性の生理活性物質が、あらかじめ固定化された状態である。
【００３３】
結合対複合体とは、本明細書では、「化学的もしくは物理的な方法により、測定対象物質と特異的に結合する第一の物質」に結合した低分子化合物と、その化合物を特異的に認識する分子との複合体を意味する。そのような複合体を形成できうる組み合わせならば限定されるものではないが、代表的なものにハプテン−アンチハプテン複合体が含まれ、例えばビオチン−アンチビオチン、アビジン−ビオチン、炭水化物−レクチン、相補ヌクレオチド配列、エフェクタ−レセプター、酵素共同因子−酵素、酵素阻害物質−酵素などが挙げられる。
【００３４】
また、この測定容器をあらかじめ固定化された生理活性物質を使用せずに測定に使用することも可能である。たとえば、ラテックスビーズなど免疫測定を液相で行った後、本願発明の測定容器に添加し、Ｂ／Ｆ分離を不溶性担体３上で行うといった応用的使用法も可能であり、使用用途は多岐に渡る。
【００３５】
不溶性担体３に生理活性物質を固定化するには一般的に知られているような、例えば物理的に吸着させる方法または化学的に結合させる方法を用いればよい。その際、該生理活性物質を不溶性担体に直接固定化してもよいし、該生理活性物質に特異的に結合する抗体や受容体などの物質を不溶性担体に固定化し、該物質を介して該生理活性物質を固定化してもよい。また、固定化した不溶性担体を切り出して測定容器に装着してもよいし、未固相の不溶性担体を測定容器に装着した後に固定化を実施してもよい。
【００３６】
「（６）該不溶性担体は、乾燥された状態で提供され、」とあるが、これは保存時や輸送時の安定性等を考慮し、測定容器は生理活性物質を固定化した後に乾燥した状態で提供されることを意味している。その上、水分を遮断する気密容器中に測定容器を保存すれば、１年程度の長期保存が可能となる。乾燥の方法としては自然乾燥、風乾、真空乾燥、減圧乾燥、凍結真空乾燥、赤外線や遠赤外線による乾燥、またマイクロウェーブなどの高周波を利用した乾燥等が挙げられる。
【００３７】
「（７）測定をする前に、該不溶性担体に一定量以上の水分を滴下し、」とあるが、この工程を行なうことで、直ちに測定可能な状態に復帰できる。この際の水分量としては、好ましくは開口部２から露出している、測定に必要なシグナルが検出できうる大きさの不溶性担体３が十分に湿潤する量の水分を滴下し、少なくとも３０秒後に測定することで、より好ましくは５０〜１００μｌの水分を滴下し、１〜５分後に測定対象物質が含まれる生体試料を滴下し、測定開始することである。
【実施例】
【００３８】
［実施例］（ＰＳＡの測定）
（１）吸収要素の作製
タバコフィルターを１１．５ｍｍずつ切断した。
（２）測定容器の作製
直径９．０ｍｍ、厚さ１．０ｍｍのガラス繊維濾紙（アドバンテック東洋社製）に  円形にくりぬき、上記（１）で製した吸収要素に積層し、図１に示すような、ポリエチ  レン製の液体不透過性容器内に収納した。今回使用した液体不透過性容器は内径９．０  ｍｍ、測定容器の長さが１５ｍｍのものを使用した。
（３）抗体の固定化
上記（２）で製した測定容器の開口部より、（ａ）マウス抗ビオチンモノクロー  ナル抗体４７μｇ／ｍＬ（１００ｍＭクエン酸緩衝液：ｐＨ３．０）を５０μｌ、（ｂ  ）５％グリセロール・１％カゼイン溶液（１０ｍＭリン酸塩−生理食塩水緩衝液：ｐＨ  ７．４）を１００μｌ、直前に供給された液が吸引されるのを待って順次供給した後、  凍結乾燥した。
（４）ＨＲＰ標識抗ＰＳＡ抗体液の調製
抗ＰＳＡ抗体１０ｍｇと西洋ワサビ由来ペルオキシダーゼを用い、ナカネ法に従い  、結合させ、第１抗体液を調製した。
（５）ビオチン標識抗ＰＳＡ抗体液の調製
抗ＰＳＡ抗体１０ｍｇとビオチンアミドカプロン酸−Ｎ−ヒドロキシスクシンイミ  ドエステルを２５℃で４時間反応させ、ＮＡＰ−５（アマシャムバイオサイエンス社製  ）を用いて分画し、第２抗体液を調製した。
（６）測定の実施
生体試料４０μｌと第１抗体液２０μｌ、第２抗体液２０μｌを混和し反応溶液を調製し、４０℃で５分間インキュベーションした。（３）で作製した反応容器に５０μｌの生理食塩水を添加し、５分後に反応溶液５０μｌを添加し４０℃でインキュベーションした。２分後に、０．０５％  Ｔｗｅｅｎ２０を含む生理食塩水を８０μｌずつ２回添加し、さらに２分後、発色基質として３，３’，５，５’−テトラメチルベンジジンを３０μｌ添加した。発色基質添加１分後に、６７０ｎｍの反射吸光度を読み取った。
【００３９】
［比較例１］
実施例の（３）の工程で、１％カゼインを１％ヤギ血清にしたこと以外は実施例と同様に測定容器を製し、ＰＳＡの測定を実施した。
【００４０】
［比較例２］
実施例の（３）の工程で、１％カゼインを除去したこと以外は実施例と同様に測定容器を製し、ＰＳＡの測定を実施した。
【００４１】
［比較例３］
実施例の（３）の工程で、１％カゼインを１％ヤギ血清にし、（６）の工程で、０．０５％  Ｔｗｅｅｎ２０を含む生理食塩水を８０μｌから１００μｌにしたこと以外は実施例と同様に測定容器を製し、ＰＳＡの測定を実施した。
【００４２】
実施例および比較例で標準ＰＳＡ試薬（０および２．５ｎｇ／ｍＬ）を５重測定し、反射率変化量（Ｋ／Ｓ）の平均値（Ｍｅａｎ）、Ｓ／Ｎ比（標準ＰＳＡ試薬０ｎｇ／ｍＬに対する標準ＰＳＡ試薬２．５ｎｇ／ｍＬの発光シグナル強度の相対比）を表１に示す。
【００４３】
【表１】
2007121095.tif 000002
【００４４】
比較例１では、添加したヤギ血清による非特異的反応が生じており、動物性タンパク質を添加していない比較例２と比較しても、逆にブランク値（標準ＰＳＡ試薬０ｎｇ／ｍＬのＫ／Ｓ）の上昇が起こっていることがわかる。
【００４５】
Ｂ／Ｆ分離の洗浄液量を増加したのが比較例３であるが、Ｓ／Ｎ比は若干上昇したが、効果が大きいとは言えない。
【００４６】
それらに比べ、実施例は、ブランク値も低く、また洗浄液量も８０μｌ設定のままでＳ／Ｎ比も著しく向上しており、効果が大きいと言える。
【産業上の利用可能性】
【００４７】
このように、本願発明の測定容器を使用することで、測定機器の設定を変更することなく、これまで同時に解決することは困難と考えられてきた非特異反応の抑制、およびＢ／Ｆ分離の洗浄液量の低減が一度に可能となることから、これまで培われた製造ノウハウを無駄にすることなく、体外診断用医薬品などの各種分析用途に利用することができ、産業界に寄与することが大である。
【図面の簡単な説明】
【００４８】
【図１】本願発明の反応容器の一実施例における斜視図
【図２】図１に記載の反応容器の断面図
【符号の説明】
【００４９】
１：外郭部
２：開口部
３：不溶性担体
４：吸収要素
５：カップ
６：つば
７：キャップ
【図１】
2007121095.tif 000003
【図２】
2007121095.tif 000004